(57)【要約】【課題】本発明の課題は、コンバインにおいて、刈取部の刈取速度を変速制御する簡易なベルト式変速手段を提供することにある。【解決手段】 本発明は、脱穀部（９）の前部に左右方向を向く姿勢で架設された脱穀部（９）への入力軸（１６）と、該入力軸（１６）と平行な姿勢で架設された刈取部（８）への入力軸（１７）とを備え、前記脱穀部（９）への入力軸（１６）と前記刈取部（８）への入力軸（１７）とに、大小異径のプーリを一体で備える脱穀入力プーリ（１８ａ，１８ｂ）と刈取入力プーリ（１９ａ，１９ｂ）をそれぞれ軸架させて設け、これら脱穀入力プーリと刈取入力プーリ間にわたって高速側伝動ベルト（２０Ｈ）及び低速側伝動ベルト（２０Ｌ）を掛け渡し、運転席（１２）から操作可能なテンションクラッチプーリ（２２）を、前記高速側伝動ベルト（２０Ｈ）に作用する状態と、低速側伝動ベルト（２０Ｌ）に作用する状態とに切替可能とする。【選択図】      図２
2015084707.tif 000002
【特許請求の範囲】
【請求項１】
脱穀部（９）の前部に左右方向を向く姿勢で架設された脱穀部（９）への入力軸（１６）と、該入力軸（１６）と平行な姿勢で架設された刈取部（８）への入力軸（１７）とを備え、前記脱穀部（９）への入力軸（１６）と前記刈取部（８）への入力軸（１７）とに、大小異径のプーリを一体で備える脱穀入力プーリ（１８ａ，１８ｂ）と刈取入力プーリ（１９ａ，１９ｂ）をそれぞれ軸架させて設け、これら脱穀入力プーリと刈取入力プーリ間にわたって高速側伝動ベルト（２０Ｈ）及び低速側伝動ベルト（２０Ｌ）を掛け渡し、運転席（１２）から操作可能なテンションクラッチプーリ（２２）を、前記高速側伝動ベルト（２０Ｈ）に作用する状態と、低速側伝動ベルト（２０Ｌ）に作用する状態とに切替可能に構成してあることを特徴とするコンバイン。
【請求項２】
前記テンションクラッチプーリ（２２）は、高速側伝動ベルト（２０Ｈ）テンション位置と低速側変速ベルト（２０Ｌ）テンション位置との間で前記入力軸（１６，１７）の軸心方向にスライド可能に構成してある請求項１記載のコンバイン。
【請求項３】
前記テンションクラッチプーリ（２２）を切替操作する変速レバー（２１）は、前後方向の揺動操作でテンションクラッチを入り切りし、左右横方向のスライド操作でテンション位置を高速側と低速側とに切り替えるべく構成してある請求項１又は請求項２記載のコンバイン。
【請求項４】
ベルト変速機構を外側から覆う安全カバー（２６）を設け、該安全カバー（２６）は上向きに揺動開放できる構成とし、運転位置から開閉操作できるように構成してある請求項１又は請求項２又は請求項３記載のコンバイン。
【発明の詳細な説明】
【技術分野】
【０００１】
この発明は、稲麦や菜種等の茎稈を刈り取って収穫するコンバインに関する。
【背景技術】
【０００２】
従来、脱穀装置の脱穀フィードチェンや、刈取部の刈取搬送装置を高速と低速との２段階の変速域を備えた有段式変速装置を用いて駆動するようにした構成のものが一般的に知られている（例えば、特許文献１参照）。
【０００３】
そして、有段式変速装置には、特許文献１に開示されているようなギヤ式有段変速装置や、ベルト式有段変速装置がある。
特に、後者のベルト式有段変速装置にあっては、高速側変速ベルトと低速側変速ベルトとにそれぞれ高速側テンションプーリと低速側テンションプーリを交互に作用させて高速側と低速側とに切替操作するものが知られている。
【先行技術文献】
【特許文献】
【０００４】
【特許文献１】特開２００８−８６２４３号公報
【発明の概要】
【発明が解決しようとする課題】
【０００５】
本発明の課題は、コンバインにおいて、刈取部の刈取速度を変速制御する簡易なベルト式変速手段を提供することにある。
【課題を解決するための手段】
【０００６】
この発明は、上記課題を解決すべく次のような技術的手段を講じた。
すなわち、請求項１記載の発明は、脱穀部（９）の前部に左右方向を向く姿勢で架設された脱穀部（９）への入力軸（１６）と、該入力軸（１６）と平行な姿勢で架設された刈取部（８）への入力軸（１７）とを備え、前記脱穀部（９）への入力軸（１６）と前記刈取部（８）への入力軸（１７）とに、大小異径のプーリを一体で備える脱穀入力プーリ（１８ａ，１８ｂ）と刈取入力プーリ（１９ａ，１９ｂ）をそれぞれ軸架させて設け、これら脱穀入力プーリと刈取入力プーリ間にわたって高速側伝動ベルト（２０Ｈ）及び低速側伝動ベルト（２０Ｌ）を掛け渡し、運転席（１２）から操作可能なテンションクラッチプーリ（２２）を、前記高速側伝動ベルト（２０Ｈ）に作用する状態と、低速側伝動ベルト（２０Ｌ）に作用する状態とに切替可能に構成してあることを特徴とするコンバインである。
【０００７】
請求項２記載の発明は、前記テンションクラッチプーリ（２２）は、高速側伝動ベルト（２０Ｈ）テンション位置と低速側変速ベルト（２０Ｌ）テンション位置との間で前記入力軸（１６，１７）の軸心方向にスライド可能に構成してある請求項１記載のコンバインである。
【０００８】
請求項３記載の発明は、前記テンションクラッチプーリ（２２）を切替操作する変速レバー（２１）は、前後方向の揺動操作でテンションクラッチを入り切りし、左右横方向のスライド操作でテンション位置を高速側と低速側とに切り替えるべく構成してある請求項１又は請求項２記載のコンバインである。
【０００９】
請求項４記載の発明は、ベルト変速機構を外側から覆う安全カバー（２６）を設け、該安全カバー（２６）は上向きに揺動開放できる構成とし、運転位置から開閉操作できるように構成してある請求項１又は請求項２又は請求項３記載のコンバインである。
【発明の効果】
【００１０】
以上要するに、請求項１記載の発明によれば、刈取対象穀稈の状況に応じて刈取速度を容易に変速することができ、また、作物の種類によっても容易に変速でき、作物適応性が向上する。しかも、運転位置から簡単に変速操作でき、作業能率を高めることができる。
【００１１】
請求項２記載の発明によれば、請求項１記載の発明による効果に加えて、テンションクラッチプーリ（２２）は、スライドによって高速側と低速側とに切り替えるので、一つのテンッションアームやテンションプーリで刈取速度を変速することができ、安価に実施することができる。
【００１２】
請求項３記載の発明によれば、請求項１又は請求項２記載の発明による効果に加えて、テンションクラッチ入り切り専用のレバーとテンションクラッチプーリ（２２）切替専用のレバーを別々に設ける必要がなく、テンション切替操作機構の構成を簡略化することができる。
【００１３】
請求項４記載の発明によれば、請求項１又は請求項２又は請求項３記載の発明による効果に加えて、上記構成によると、安全カバー（２６）は揺動開閉する構成であるため、ベルト変速機構のベルト交換やメンテナンスが容易に行える。しかも、安全カバーが上方への揺動オープンのため、運転席と脱穀部との間の狭い空間内であっても開閉が容易であり、運転位置からでもメンテナンスが容易に行える。
【図面の簡単な説明】
【００１４】
【図１】汎用コンバインの側面図
【図２】汎用コンバインの要部の正面図
【図３】同上要部の正面図
【図４】同上一部の正面図
【図５】同上要部の側面図
【図６】フィードコンベアの平面図
【図７】同上要部の側面図
【図８】テンションローラの分解斜視図
【図９】フィードコンベア要部の側面図
【図１０】同上要部の側面図
【図１１】汎用コンバインの側面図
【図１２】汎用コンバイン要部の背面図
【図１３】同上要部の側面図
【図１４】同上要部の背面図
【図１５】サンバイザ付汎用コンバインの側面図
【図１６】同上要部の正面図
【図１７】サンバイザー支持構成を示す側面図
【図１８】同上要部の正面図
【図１９】グレンタンクにサンバイザーをセットした場合の側面図
【図２０】同上要部の正面図
【図２１】グレンホッパにサンバイザーをセットした場合の側面図
【図２２】同上要部の正面図
【発明を実施するための形態】
【００１５】
この発明の実施例を図面に基づき説明する。
図１及び図２は、圃場に立毛する稲麦や菜種等の作物茎稈を自走しながら刈り取って収穫する汎用コンバインを示すものであり、下部に左右一対の走行クローラ２，２を備えた車体１の前側には、作物茎稈を後方に掻き込む掻込タイン３を備えた掻込リール４と、掻込後の茎稈を切断するバリカン式の横向き刈刃装置５と刈取後の茎稈をテーブル６上に掻き込む掻込オーガ７等からなる刈取前処理部８を備えている。
【００１６】
刈取前処理部８の左側から後方にわたって装備されたフィーダハウス１０内には、刈取前処理部からの作物茎稈を受け継いで後方上方に揚上搬送して脱穀部９内に供給するフィードコンベア１１が装備されている。フィーダハウス１０の右側には、運転席１２や操作ボックス１３等からなる運転操作部が設置され、その上方にはサンバイザー１４が装備され、運転操作部の後方には収穫物を一時的に貯留するグレンタンク１５が設置されている。
【００１７】
脱穀部９の前側に横架された脱穀部への脱穀入力軸１６と、刈取前処理部８のフィードコンベア１１への刈取入力軸１７には、大小異径の脱穀入力プーリ１８ａ，１８ｂと刈取入力プーリ１９ａ，１９ｂが軸着して設けられ、これら脱穀入力プーリ１８ａ，１８ｂと刈取入力プーリ１９ａ，１９ｂ間にわたって高速側変速ベルト２０Ｈ及び低速側伝動ベルト２０Ｌが巻回され、運転席１２位置から変速レバー２１の操作でテンションクラッチプーリ２２を高速側と低速側とに切り替え、高低２段階の変速制御が行えるように構成されている。
【００１８】
テンションクラッチプーリ２２は、図２に示す実施例では、テンションアーム２３が脱穀入力軸１６を支点として揺動変位することによりテンションクラッチを入り切りする構成であり、脱穀入力軸芯方向のスライドによって高速側と低速側とに切り替えるようになっている。
【００１９】
図３に示す実施例では、テンションアーム２３が別個に架設されたスライド軸２４と一体的に左右横方向へスライド移動できる構成になっており、高速側伝動ベルト２０Ｈへのテンション位置と低速側伝動ベルト２０Ｌへのテンション位置との間を張圧スプリング２５を介してスライドする構成である。
【００２０】
また、このテンションクラッチプーリ２２は、運転席１２近くに配置された変速レバー２１のスライド軸２４芯又は脱穀入力軸１６芯周りにおける前後方向の揺動操作でテンションクラッチを入り切りし、スライド軸芯方向（脱穀入力軸芯方向）のスライド操作でテンション位置を高速側と低速側とに切り替えるべく連動構成されている。
【００２１】
ベルト式変速機構を覆う安全カバー２６は、上部側の支軸を回動支点として上向きに揺動開放できるように構成され、運転位置から容易に開閉操作できるように配置されている。これはベルト式変速機構を運転席１２と脱穀部９との間の空間内に納めた場合に効果的である。
【００２２】
フィードコンベア１１の始端部のテンションローラ３０において、図６に示すように、テンションローラ３０の中央部の円筒ドラム３１を分割して半筒体３１ａ，３１ｂとしてノムボルト３２により取り外し可能に構成し、そして、取り外した円筒ドラム部をフィーダハウス１０の掃除蓋３３の付いた掃除口から取り出して、フィーダハウスの底面とフィードコンベア始端とのスペースを広くとることにより、詰まった作物の除去が容易に行える。
【００２３】
また、図９及び図１０に示すように、フィードコンベア１１始端のテンションローラ３０を押上げジャッキ３４を介して上方に持ち上げ、テンションローラ下部とフィーダハウス下面とのスペースを広く形成して詰まり作物の除去が容易に行えるように構成することもできる。
【００２４】
図１１例では、テンションローラ軸３５をフィードコンベア１１より左外側に突出させ、ハンドル３６又はプーリを取り付け、詰まり発生時は、ハンドル３６を逆方向に回して詰まり物を前方へ吐き出し除去するように構成している。
【００２５】
なお、フィードコンベア入力側終端側の入力軸にハンドルを設けて、詰まり時にはそのハンドル操作でフィードコンベアを逆回転させ、詰まり物を除去するようにしてもよい。
次に、図１２〜図１４に示す実施例について説明すると、ステップフレーム３８の外側面部には、支持ブラケット４２を介して地面に近い下段の第１ステップ３９とステップフロア３７に近い上段の第２ステップ４０が設けられている。固定式の第２ステップ４０に対し、第１ステップ３９は、ステップ使用状態とステップ収納状態図１４状態とに切り替えできるように支持ピン４１周りに回動固定自在に枢着している。
【００２６】
第１ステップ３９及び第２ステップ４０の奥側には、足先載せプレート４３ａ，４３ｂをステップフレーム側に固着して設けることで、足先のステップ安定化が可能となる。
図１５及び図１６に示す実施例では、運転席１２の前側に位置する操作ボックス１３の前面両サイドからサンバイザー１４の支柱４４Ｌ，４４Ｒを立設すると共に、該支柱の途中部を操作ボックス１３から上方に突設する操作ハンドル４５によっても連結保持させている。
【００２７】
また、サンバイザー１４は、支柱４４の途中部に設けた調節機構４６により上下位置を変更調整できるように構成している。
図１７及び図１８に示す実施例では、サンバイザー１４を支持フレーム４７及びフレームステー４８を介して支持する支柱４４Ｌ，４４Ｒは、それぞれに数個の取付穴５０を有した複数の取付プレート４９ａ，４９ｂ，４９ｃによって装着支持できる構成とし、図１９及び図２０に示すようなグレンタンク１５仕様、図２１及び図２２に示すようなグレンホッパ５１仕様でも共通部品としてタンク並びにホッパに設けた取付穴に取付支持できる構成としている。
【符号の説明】
【００２８】
８    刈取部（刈取前処理部）
９    脱穀部
１２    運転席
１６    脱穀入力軸
１７    刈取入力軸
１８    脱穀入力プーリ
１９    刈取入力プーリ
２０Ｈ  高速側伝動ベルト
２０Ｌ  低速側伝動ベルト
２１    変速レバー
２２    テンションクラッチプーリ
２３    テンションアーム
２４    スライド軸
２６    安全カバー
２７    支軸
２１    縦向き刈刃装置
２７    刈刃駆動軸
３１    ウォーブル機構
３２    ウォーブル軸
３３    第１スイングアーム
３４    第２スイングアーム
【図１】
2015084707.tif 000003
【図２】
2015084707.tif 000004
【図３】
2015084707.tif 000005
【図４】
2015084707.tif 000006
【図５】
2015084707.tif 000007
【図６】
2015084707.tif 000008
【図７】
2015084707.tif 000009
【図８】
2015084707.tif 000010
【図９】
2015084707.tif 000011
【図１０】
2015084707.tif 000012
【図１１】
2015084707.tif 000013
【図１２】
2015084707.tif 000014
【図１３】
2015084707.tif 000015
【図１４】
2015084707.tif 000016
【図１５】
2015084707.tif 000017
【図１６】
2015084707.tif 000018
【図１７】
2015084707.tif 000019
【図１８】
2015084707.tif 000020
【図１９】
2015084707.tif 000021
【図２０】
2015084707.tif 000022
【図２１】
2015084707.tif 000023
【図２２】
2015084707.tif 000024